【事件の表示】
　特許第２６７５１３１号「磁気記録再生装置の制御システム」の特許に対する特許異議の申立てについて、次のとおり決定する。
【結論】
　訂正を認める。
　特許第２６７５１３１号の特許を維持する。
【理由】
１．手続の概要
　本件特許第２６７５１３１号に係る発明についての出願は、平成１年４月５日に特許出願され、平成９年７月１８日にその発明について特許の設定登録がなされ、その後、その特許について、異議申立人金子和弘より特許異議の申立がなされ、取消理由通知がなされ、その指定期間内である平成１０年１１月９日に特許異議意見書が提出されるとともに訂正請求がなされたものである。
２．訂正の適否について
〔２−１〕訂正の内容
　特許権者が求めている訂正の内容は、次のとおりである。
▲１▼特許明細書における特許請求の範囲の請求項１に係る記載の「各種定義づけされたシーケンスを表すシーケンスコードが記憶される書き換え可能な第１のメモリ」を、特許請求の範囲の減縮を目的として、「上記磁気テープに所望情報を記録しながら、もしくは所望情報を全て記録した後これらを再生しながら、各種定義づけされたシーケンスを表すシーケンスコードが記憶される書き換え可能な第１のメモリ」と訂正する。
▲２▼特許明細書における特許請求の範囲の請求項１に係る記載の「該位置コードに該シーケンスコードのいずれか１つを対応づけるコードテーブルが記憶される書き換え可能な第２のメモリ」を、特許請求の範囲の減縮を目的として、「上記磁気テープに所望情報を記録しながら、もしくは所望情報を全て記録した後これらを再生しながら、該位置コードに該シーケンスコードのいずれか１つを対応づけるコードテーブルが記憶される書き換え可能な第２のメモリ」と訂正する。
▲３▼特許明細書における特許請求の範囲の請求項１に係る記載の「該コードテーブルによって判定される検出された該位置コードに対応した該シーケンスコードを該第２のメモリから読み取り該シーケンスコードに応じたシーケンスを実行させる手段」を、特許請求の範囲の減縮を目的として、「該コードテーブルによって判定される検出された該位置コードに対応した該シーケンスコードを該第２のメモリから読み取り、ユーザの手動操作により実行中のシーケンスを解除させる動作を含んで該シーケンスコードに応じたシーケンスを実行させる手段」と訂正する。
▲４▼特許明細書の第９頁第１１行目（特許公報の第３頁左欄第１７行目）に記載の「シーケンスのいずれを」を、誤記の訂正を目的として、「シーケンスのいずれかを」と訂正する。
▲５▼特許明細書の第１３頁第９行目（特許公報の第３頁右欄第３６行目）に記載の「１３に供給をされる」を、誤記の訂正を目的として、「１３に供給される」と訂正する。
▲６▼特許明細書の第１７頁第１５−１６行目（特許公報の第４頁右欄第１１行目）に記載の「シーケンスガ対応づけられ」を、誤記の訂正を目的として、「シーケンスが対応づけられ」と訂正する。
▲７▼特許明細書の第４頁第１６行目−第５頁第５行目（特許公報の第２頁左欄第３４−第４２行目）に記載の「〔課題を解決するための手段〕上記目的を達成するために、本発明は、磁気テープでは、情報信号の記録領域内の任意の位置に位置コードを記録可能とし、入力される定義づけられたシーケンスのコード（シーケンスコード）が記憶される書き換え可能な第１のメモリと、該磁気テープに記録されている該位置コードと該第１のメモリに記憶されているシーケンスコードのいずれかとを対応づけるコードテーブルが記憶される書き換え可能な第２のメモリとを設ける。」を、明りょうでない記載の釈明を目的として、「〔課題を解決するための手段〕上記目的を達成するために、本発明は、磁気テープでは、情報信号の記録領域内の任意の位置に位置コードを記録可能とし、上記磁気テープに所望情報を記録しながら、もしくは所望情報を全て記録した後これらを再生しながら、入力される定義づけられたシーケンスのコード（シーケンスコード）が記憶される書き換え可能な第１のメモリと、上記磁気テープに所望情報を記録しながら、もしくは所望情報を全て記録した後これらを再生しながら、該磁気テープに記録されている該位置コードと該第１のメモリに記憶されているシーケンスコードのいずれかとを対応づけるコードテーブルが記憶される書き換え可能な第２のメモリとを設ける。さらに、該コードテーブルによって判定される検出された該位置コードに対応した該シーケンスコードを該第２のメモリから読み取り、ユーザの手動操作により実行中のシーケンスを解除させる動作を含んで該シーケンスコードに応じたシーケンスを実行させる手段を有する。」と訂正する。
〔２−２〕訂正の目的の適否、新規事項の有無及び特許請求の範囲の拡張・変更の存否
　上記訂正事項▲１▼〜訂正事項▲３▼は、特許請求の範囲の減縮を目的とするものであり、新規事項の追加に該当せず、実質上特許請求の範囲を拡張し、又は変更するものではない。
　上記訂正事項▲４▼〜訂正事項▲６▼は、誤記の訂正を目的とするものであり、新規事項の追加に該当せず、実質上特許請求の範囲を拡張し、又は変更するものではない。
　上記訂正事項▲７▼は、明りょうでない記載の釈明を目的とするものであり、新規事項の追加に該当せず、実質上特許請求の範囲を拡張し、又は変更するものではない。
〔２−３〕独立特許要件の判断
　訂正明細書の請求項１に係る発明（以下、「本件発明」という。）は、その特許請求の範囲の請求項１に記載された次のとおりのものである。
「所望の情報信号を磁気テープに記録し、再生する磁気記録再生装置において、該磁気テープには、該情報信号の記録領域の任意の位置コードが設定されているものであって、上記磁気テープに所望情報を記録しながら、もしくは所望情報を全て記録した後これらを再生しながら、各種定義づけされたシーケンスを表すシーケンスコードが記憶される書き換え可能な第１のメモリと、上記磁気テープに所望情報を記録しながら、もしくは所望情報を全て記録した後これらを再生しながら、該位置コードに該シーケンスコードのいずれか１つを対応づけるコードテーブルが記憶される書き換え可能な第２のメモリと、該磁気テープから該位置コードを検出する手段と、該コードテーブルによって判定される検出された該位置コードに対応した該シーケンスコードを該第２のメモリから読み取り、ユーザの手動操作により実行中のシーケンスを解除させる動作を含んで該シーケンスコードに応じたシーケンスを実行させる手段とを有し、該位置コードの検出とともに該位置コードに対応したシーケンスを実行可能に構成したことを特徴とする磁気記録再生装置の制御システム。」
　これに対して、当審が通知した取消理由で引用した刊行物（特開昭６３−３１３３８２号公報）には、次の発明が記載されている。
　動画像（及び音声）情報信号を磁気テープ１２に記録し、再生する磁気記録再生装置において、該磁気テープには、該動画像（及び音声）情報信号の記録領域に該動画像（及び音声）情報信号のタイム・コードが記録されているものであって、記録媒体に記録されている情報信号のうち必要な各カットを再生する際の動作制御のためのコードを示す情報（１１ビット情報）と、該タイム・コードに該動作制御のためのコードを示す情報を対応づける再生管理用情報が記憶されるスチル・ビデオ・ディスク１６と、該磁気テープから該タイム・コードを検出するコントロール・トラック再生用の固定ヘッド２４、ＣＴＬ処理回路３０、システム・コントローラ２６と、該再生管理用情報によって判定される検出された該タイム・コードに対応した該動作制御のためのコードを示す情報をスチル・ビデオ・ディスクから読み取り、該動作制御のためのコードを示す情報に応じた動作を実行させるシステム・コントローラ３２とを有し、該タイム・コードの検出とともに該タイム・コードに対応した動作を実行可能に構成した磁気記録再生装置の制御システム。
　本件発明と上記刊行物に記載された発明とを対比すると、上記刊行物に記載された発明における「再生管理用情報によって判定される検出されたタイム・コードに対応した動作制御のためのコードを示す情報をスチル・ビデオ・ディスクから読み取り、該動作制御のためのコードを示す情報に応じた動作を実行させるシステム・コントローラ３２」は、本件発明における「コードテーブルによって判定される検出された位置コードに対応したシーケンスコードを第２のメモリから読み取りシーケンスコードに応じたシーケンスを実行させる手段」に一応対応するものであるが、上記刊行物に記載された発明における「システム・コントローラ」は、本件発明における「ユーザの手動操作により実行中のシーケンスを解除させる動作」をも含むものではない。そして、本件発明はこの構成を含む構成によってより使い勝手の良い磁気記録再生装置の制御システムを提供できるものである。
　したがって、本件発明は、上記刊行物に記載された発明であるとすることはできず、また、本件発明は、上記刊行物に記載された発明に基づいて当業者が容易に発明をすることができたものとすることはできない。さらに、他の独立特許要件を満たさないものでもない。
　よって、本件発明は、特許出願の際独立して特許を受けることができるものである。
〔２−４〕訂正の適否に対するむすび
　以上のとおりであるから、上記訂正は、特許法第１２０条の４第２項及び同条第３項で準用する同法第１２６条第２−４項の規定に適合するので、当該訂正を認める。
３．特許異議申立てについて
〔３−１〕申立の理由の概要
　申立人金子和弘は、特許明細書の請求項１に係る発明は、甲第１号証（当審において通知した取消理由において引用した上記刊行物）に記載された発明であるか、もしくは甲第１号証に記載された発明に基づいて当業者が容易に発明をすることができたものであり、特許法第２９条第１項第３号もしくは同条第２項の規定により特許を受けることができないものであるから、特許を取り消すべき旨を主張している。
〔３−２〕判断
　本件発明は、上記〔２−３〕で示したように、取消理由で示した上記刊行物である甲第１号証に記載された発明であるとすることはできず、また、甲第１号証に記載された発明に基づいて当業者が容易に発明をすることができたものとすることはできない。
〔３−３〕むすび
　以上のとおりであるから、特許異議申立ての理由及び証拠によっては、本件発明の特許を取り消すことはできない。
　また、他に本件発明の特許を取り消すべき理由を発見しない。
　よって、結論のとおり決定する。
【異議決定日】
平成１１年７月１２日（１９９９．７．１２）
【訂正の要旨】
　〔訂正の要旨〕
▲１▼特許明細書における特許請求の範囲の請求項１に係る記載の「各種定義づけされたシーケンスを表すシーケンスコードが記憶される書き換え可能な第１のメモリ」を、特許請求の範囲の減縮を目的として、「上記磁気テープに所望情報を記録しながら、もしくは所望情報を全て記録した後これらを再生しながら、各種定義づけされたシーケンスを表すシーケンスコードが記憶される書き換え可能な第１のメモリ」と訂正する。
▲２▼特許明細書における特許請求の範囲の請求項１に係る記載の「該位置コードに該シーケンスコードのいずれか１つを対応づけるコードテーブルが記憶される書き換え可能な第２のメモリ」を、特許請求の範囲の減縮を目的として、「上記磁気テープに所望情報を記録しながら、もしくは所望情報を全て記録した後これらを再生しながら、該位置コードに該シーケンスコードのいずれか１つを対応づけるコードテーブルが記憶される書き換え可能な第２のメモリ」と訂正する。
▲３▼特許明細書における特許請求の範囲の請求項１に係る記載の「該コードデ−ブルによって判定される検出された該位置コードに対応した該シーケンスコードを該第２のメモリから読み取り該シーケンスコードに応じたシーケンスを実行させる手段」を、特許請求の範囲の減縮を目的として、「該コードテーブルによって判定される検出された該位置コードに対応した該シーケンスコードを該第２のメモリから読み取り、ユーザの手動操作により実行中のシーケンスを解除させる動作を含んで該シーケンスコードに応じたシーケンスを実行させる手段」と訂正する。
▲４▼特許明細書の第９頁第１１行目（特許公報の第３頁左欄第１７行目）に記載の「シーケンスのいずれを」を、誤記の訂正を目的として、「シーケンスのいずれかを」と訂正する。
▲５▼特許明細書の第１３頁第９行目（特許公報の第３頁右欄第３６行目）に記載の「１３に供給をされる」を、誤記の訂正を目的として、「１３に供給される」と訂正する。
▲６▼特許明細書の第１７頁，第１５−１６行目（特許公報の第４頁右欄第１１行目）に記載の「シーケンスガ対応づけられ」を、誤記の訂正を目的として、「シーケンスが対応づけられ」と訂正する。
▲７▼特許明細書の第４頁第１６行目−第５頁第５行目（特許公報の第２頁左欄第３４−第４２行目）に記載の「〔課題を解決するための手段〕上記目的を達成するために、本発明は、磁気テープでは、情報信号の記録領域内の任意の位置に位置コードを記録可能とし、入力される定義づけられたシーケンスのコード（シーケンス−コード）が記憶される書き換え可能な第１のメモリと、該磁気テープに記録されている該位置コードと該第１のメモリに記憶されているシーケンスコードのいずれかとを対応づけるコードテーブルが記憶される書き換え可能な第２のメモリとを設ける。」を、明りょうでない記載の釈明を目的として、「〔課題を解決するための手段〕上記目的を達成するために、本発明は、磁気テープでは、情報信号の記録領域内の任意の位置に位置コード記録可能とし、上記磁気テープに所望情報を記録しながら、もしくは所望情報を全て記録した後これらを再生しながら、入力される定義づけられたシーケンスのコード（シーケンスコード）が記憶される書き換え可能な第１のメモリと、上記磁気テープに所望情報を記録しながら、もしくは所望情報を全て記録した後これらを再生しながら、該磁気テープに記録されている該位置コードと該第１のメモリに記憶されているシーケンスコードのいずれかとを対応づけるコードデーブルが記憶される書き換え可能な第２のメモリとを設ける。さらに、該コードテーブルによって判定される検出された該位置コードに対応した該シーケンスコードを該第２のメモリから読み取り、ユーザの手動操作により実行中のシーケンスを解除させる動作を含んで該シーケンスコードに応じたシーケンスを実行させる手段を有する。」と訂正する。
（５４）【発明の名称】
磁気記録再生装置の制御システム
（５７）【特許請求の範囲】
　【請求項１】　所望の情報信号を磁気テープに記録し、再生する磁気記録再生装置において、
　該磁気テープには、該情報信号の記録領域の任意の位置に位置コードが設定されているものであって、
　上記磁気テープに所望情報を記録しながら、もしくは所望情報を全て記録した後これらを再生しながら、各種定義づけされたシーケンスを表すシーケンスコードが記憶される書き換え可能な第１のメモリと、
　上記磁気テープに所望情報を記録しながら、もしくは所望情報を全て記録した後これらを再生しながら、該位置コードに該シーケンスコードのいずれか１つを対応づけるコードテーブルが記憶される書き換え可能な第２のメモリと、
　該磁気テープから該位置コードを検出する手段と、
　該コードテーブルによって判定される検出された該位置コードに対応した該シーケンスコードを該第２のメモリから読み取り、ユーザの手動操作により実行中のシーケンスを解除させる動作を含んで該シーケンスコードに応じたシーケンスを実行させる手段とを有し、該位置コードの検出とともに該位置コードに対応したシーケンスを実行可能に構成したことを特徴とする磁気記録再生装置の制御システム。
【発明の詳細な説明】
〔産業上の利用分野〕
　本発明は、磁気テープに信号を記録し、再生する磁気記録再生装置に係り、特に、該磁気テープに設定された情報に応じたシーケンスを実行させる磁気記録再生装置の制御システムに関する。
〔従来の技術〕
　磁気記録再生装置（以下、ＶＴＲという）においては、システムコントローラが設けられており、入力される情報に基づいて各部を制御し、この情報に応じたシーケンスが実行されるようにしている。このように所定のシーケンスと対応づけられている情報としては、記録、再生、停止、早送り、巻戻しなどの各モードの設定のためのユーザの操作によるものもあるが、サーチなどに用いられるテープカウンタのカウント値や磁気テープの終端マークなどの磁気テープに設定された情報もある。
　このようなテープカウンタのカウント値や磁気テープの終端マークにも所定のシーケンスが対応づけられており、たとえば磁気テープの終端マークが検出されると、磁気テープが停止あるいは始端まで巻き戻されて停止するという動作が自動的に行われる。
〔発明が解決しようとする課題〕
　ところで、従来のＶＴＲにおいては、磁気テープ上のシーケンスが対応づけられた情報は予め決められた位置に設定されており、しかも、そのシーケンスも予め決められたものである。このために、ユーザが再生画像を見ながらその内容に応じた所望のシーケンスを実行させるためには、ユーザのこれに応じた操作が必要であった。
　たとえば、ユーザが料理番組を録画し、しかる後、これを再生しながら料理を作るような場合、従来では、そのまま再生を続けると、材料などのリストの画像が表示されてもすぐに次の場面に進んでしまうし、料理している間に画面が先に進んでしまって料理の過程と画面の内容とが合わなくなることもある。このために、ユーザは調理などの作業と同時にポーズ、ポーズ解除などの磁気テープの操作も行わなければならず、非常に煩雑な作業が要求されることになる。
　また、映画などの録画した番組の中に不所望な場面が含まれている場合、この不所望な場面を飛ばして映画の次の場面を早く見たいときには、ユーザはこの不所望な場面で早送り再生のための操作をし、次いで、映画の次の場面の開始とともに早送り再生を解除する操作をしなければならず、不所望場面が数多く含まれるときには、その都度かかる操作を必要として煩わしいものとなる。
　本発明の目的は、かかる問題を解消し、記録内容に応じたシーケンスを自動的に実行可能とした磁気記録再生装置の制御システムを提供することにある。
〔課題を解決するための手段〕
　上記目的を達成するために、本発明は、磁気テープでは、情報信号の記録領域内の任意の位置に位置コードを記録可能とし、上記磁気テープに所望情報を記録しながら、もしくは所望情報を全て記録した後これらを再生しながら、入力される定義づけられたシーケンスのコード（シーケンスコード）が記憶される書き換え可能な第１のメモリと、上記磁気テープに所望情報を記録しながら、もしくは所望情報を全て記録した後これらを再生しながら、該磁気テープに記録されている該位置コードと該第１のメモリに記憶されているシーケンスコードのいずれかとを対応づけるコードテーブルが記憶される書き換え可能な第２のメモリとを設ける。さらに、該コードテーブルによって判定される検出された該位置コードに対応した該シーケンスコードを該第２のメモリから読み取り、ユーザの手動操作により実行中のシーケンスを解除させる動作を含んで該シーケンスコードに応じたシーケンスを実行させる手段を有する。
〔作用〕
　磁気テープ上の位置コードは定義づけられたシーケンスのいずれか１つと対応づけられており、この位置コードが磁気テープから再生されると、コードテーブルにより、この位置コードに対応したシーケンスコードが判定されて第１のメモリから読み出される。システムコントローラはこのシーケンスコードを取り込んで各部を制御し、このシーケンスコードで指定されるシーケンスを実行させる。
　そこで、各位置コードに記録内容に応じたシーケンスを対応づけることにより、この記録内容に応じた所望のシーケンスを実行させることができる。
〔実施例〕
　以下、本発明の実施例を図面によって説明する。
　第１図は本発明による磁気記録再生装置の制御システムの一実施例を示すブロック図であって、１はシステムコントローラ、２はタイマ、３はチューナ、４はサーボコントローラ、５はキャプスタンモータ、６はシリンダモータ、７はビデオヘッド、８は磁気テープ、９はコントロールヘッド、１０はビデオ・音声信号処理回路、１１はデコーダ、１２はマン・マシーンインターフェース、１３はコード変換メモリ、１４はユーザ定義シーケンスメモリ、１５はメインシーケンスメモリ、１６はスイッチである。
　同図において、スイッチ１６は通常ａ側に閉じており、システムコントローラ１はメインシーケンスメモリ１５からメインシーケンスプログラムを取り込み、マン・マシーンインターフェース１２からのユーザの操作による指令にもとづいて各部の制御を行う。
　録画時には、チューナ３で所望番組が受信され、その番組のビデオ信号および音声信号がビデオ・音声信号処理回路１０で処理されてビデオヘッド７や図示しない音声ヘッドに供給される。このとき、サーボコントローラ４は、システムコントローラ１からの指令のもとに、キャプスタンモータ５を回転させて磁気テープ８を一定速度で走行させ、また、シリンダモータ６を入力されたビデオ信号に位相同期して回転させ、ビデオヘッド７が磁気テープ８を走査するようにする。
　これにより、磁気テープ８上にビデオ信号と音声信号とが記録される。なお、このとき、コントロール信号もコントロールヘッド９によって磁気テープ８上に記録される。
　再生時には、システムコントローラ１からの指令のもとに、サーボコントローラ４はキャプスタンモータ５とシリンダモータ６とを制御し、磁気テープ８を走行させるとともにビデオヘッド７が磁気テープ８を走査するようにし、ビデオ信号と音声信号とを再生させる。このとき、サーボコントローラ４は、コントロールヘッド９によって磁気テープ８から再生されるコントロール信号と基準信号との位相差に応じてキャプスタモータ５の回転位相を制御し、磁気テープ８の走行位相を制御するとともに、シリンダモータ６の回転位相に同期した信号と上記基準信号との位相差に応じてシリンダモータ６の回転位相を制御し、ビデオヘッド７の回転位相を制御する。これによって、ビデオヘッド７の磁気テープ８上でのトラッキングが制御される。再生されたビデオ信号と音声信号とはビデオ・音声信号処理回路１０で処理され、図示しないモニタ受像機に供給される。
　その他、従来のＶＴＲと同様に、停止や特殊再生、ポーズ、早送り・巻戻しなどの動作を、システムコントローラ１はマン・マシーンインターフェース１２からのユーザによる指令にもとづいて行わせるし、また、テープカウンタのカウント値や磁気テープの終端の検出などによって所望のシーケンスを実行させる。さらに、システムコントローラ１は、タイマ２を用いることにより、予約録画も実行させる。
　以上のように、予め決められたシーケンスを実行するように、メインシーケンスプログラムが設けられているが、この実施例では、さらに、ユーザが任意のシーケンスを指定し、これを実行させることができるように構成されている。以下、これについて説明する。
　ユーザ定義シーケンスメモリ１４には、ユーザの指定によって定義づけられた各種シーケンスのコード（以下、シーケンスコードという）が格納されている。また、磁気テープ８は既に録画済みのものであって、ユーザ定義シーケンスメモリ１４で定義されるシーケンスのいずれかを実行させることを必要とする位置にコード（以下、位置コードという）が記録され、この位置コードをユーザ定義シーケンスメモリ１４のシーケンスコードに対応させるためのコードテーブルがコード変換メモリ１３に格納されている。
　以上のことを第２図および第３図によってより詳しく説明する。
　第２図において、いま、磁気テープ８に実線で区切られる３つの番組Ａ，Ｂ，Ｃが記録されているものとし、番組Ａの開始点、各番組の境界および番組Ｃの終了点に夫々位置コードａ，ｃ，ｄ，ｇが記録され、番組Ａの記録領域内に位置コードｂが、番組Ｃの記録領域内にコードｅ，ｆが夫々記録されたものとする。
　これら位置コードは、夫々その記録位置でユーザが定義した所望のシーケンスを実行させるために、ユーザの指示にもとづいて記録されるものであるが、ここで、
　位置コードｂの記録位置でポーズ状態に入る。
　位置コードｃの記録位置で位置コードｄの記録位置まで順方向サーチしてポーズ状態に入る。
　位置コードｆの記録位置でポーズ状態に入る。
　位置コードｇの記録位置で位置コードａの記録位置まで逆方向サーチし停止モードに入る。
のシーケンスを実行させたいとき、ユーザ定義シーケンスメモリ１４には、第３図（ｂ）に示すように、コード「＃１」を付したシーケンスコード「ＰＡＵＳＥ」、コード「＃２」を付したシーケンスコード「ＳＥＡＲＣＨ（＋）ＴＯｄＰＡＵＳＥ」，コード「＃３」を付したシーケンスコード「ＳＥＡＲＣＨ（−）ＴＯａ　ＳＴＯＰ」などが格納される。ここで、コード「＃１」，「＃２」，「＃３」，「＃４」，……は各シーケンスコードを区分するためのインデックスコードである。これらシーケンスコードはマン・マシーンインターフェース１２から入力される指示コードと同一フォーマットに従うものである。
　また、コード変換メモリ１３に格納されているコードテーブルは、磁気テープ８に記録されている位置コードとユーザ定義シーケンスメモリ１４に格納されているシーケンスコードとの対応関係を示しているが、第２図に示した各位置コードに対して上記のシーケンスを実行させようとする場合、第３図（ａ）に示すように位置コードｂとインデックスコード「＃１」，位置コードｃとインデックスコード「＃２」，位置コードｆとインデックスコード「＃３」，位置コードｇとインデックスコード「＃４」が夫々対応づけられる。
　ここで、位置コードａ，ｂ，ｃ，……は磁気テープ８のコントロールトラックに記録されている。この記録方法の一例としては、位置コードの各ビットを夫々コントロール信号の１周期に対応させ、このビットの“１”，“０”に応じてコントロール信号のデューティ比を異ならせるようにする。
　第２図に示すように、磁気テープ８上に位置コードａ，ｂ，ｃ，……が記録され、コード変換メモリ１３に第３図（ａ）に示したコードテーブルが格納され、ユーザ定義シーケンスメモリ１４で第３図（ｂ）に示すシーケンスコードが定義づけられた後、マン・マシーンインターフェースからシステムコントローラ１にユーザによる所定の再生指令が入力されると、スイッチ１６がｂ側に閉じ、磁気テープ８が走行して再生が開始される。これに伴ってコントロールヘッド９によって磁気テープ８からコントロール信号が再生され、上記のように、サーボコントローラ４に供給されてキャプスタンモータ５の位相制御に用いるが、このコントロール信号は、また、デコーダ１１に供給され、そのデューティ比が判別されて位置コードが検出される。検出された位置コードはシステムコントローラ１によってスイッチ１６を介しコード変換メモリ１３に供給される。
　そこで、いま、コントロールヘッド９によって磁気テープ８から位置コードａが再生されると、これがデコーダ１１で検出され、スイッチ１６を介してコード変換メモリ１３に供給される。このコード変換メモリ１３では、第３図（ａ）に示したコードテーブルにもとづいてインデックスコードとの対応が判定されるが、この位置コードａに対応するインデックスコードがないため、コード変換メモリ１３からユーザ定義シーケンスメモリ１４にシーケンスコードの読出し命令が与えられず、磁気テープ８上の番組Ａの再生が開始される。
　番組Ａの再生中位置コードｂが再生されると、この位置コードｂは同様にしてコード変換メモリ１３に供給される。この場合には、第３図（ａ）に示すように、この位置コードｂにはインデックスコード「＃１」が対応しているので、このインデックスコード「＃１」が読出し命令としてユーザ定義シーケンスメモリ１４に供給され、第３図（ｂ）により、シーケンスコード「ＰＡＵＳＥ」が読み出される。システムコントローラ１はこのシーケンスコードを取り込んでこれに応じた命令をサーボコントローラ４に与え、磁気テープ８を一時停止してポーズ状態とする。
　このポーズ状態を解除するためには、ユーザがポーズ解除のための操作をする。この操作によってマン・マシーンインターフェース１２からポーズ解除指令がシステムコントローラ１に送られ、システムコントローラ１はサーボコントローラ４に命令を与え、磁気テープ８を走行開始させて再び番組Ａの再生を行わせる。
　次に、番組Ａ，Ｂの境界で位置コードＣが再生されると、同様にして、この位置コードｃはコード変換メモリ１３に供給される。第３図（ａ）に示すように、この位置コードＣにインデックスコード「＃２」が対応しているので、第３図（ｂ）により、ユーザ定義シーケンスメモリ１４とからシーケンスコード「ＳＥＡＲＣＨ（＋）ＴＯｄ　ＰＡＵＳＥ」が読み出され、システムコントローラ１に取り込まれる。これにより、システムコントローラ１は位置コードｄが再生されるまで磁気テープ３を順方向に高速走行させてサーチ再生させる。磁気テープ８から位置コードｄが再生されると、このことをシステムコントローラ１が判定し、磁気テープ８を停止させてポーズ状態とする。
　このようにして、番組Ｂはサーチ再生され、この番組Ｂと次の番組Ｃとの境界（通常、番組Ｃの開始点）でポーズ状態となる。これを解除するためには、上記のようにユーザがポーズ解除操作すればよい。
　ポーズ解除によって番組Ｃが再生され、その後、位置コードｅが再生されるが、第３図（ａ）から明らかなように、これに対応するインデックスコードがないため、そのまま番組Ｃの再生が行なわれる。次に、位置コードｆが再生されると、第３図（ａ）（ｂ）により、インデックスコード「＃３」が対応してユーザ定義シーケンスメモリ１４からシーケンスコード「ＰＡＵＳＥ」が読み出され、これによってポーズ状態が設定される。
　このポーズ状態が上記のようにして解除され、番組Ｃの終りまで再生されて位置コードｇが再生されると、第３図（ａ），（ｂ）により、ユーザ定義シーケンスメモリ１４からシーケンスコード「ＳＥＡＲＣＨ（−）ＴＯａ　ＳＴＯＰ」が読み出され、番組Ａの開始点まで逆方向にサーチ再生が行なわれる。そして、位置コードａが再生されると、磁気テープ８は停止して停止モードとなる。これとともに、スイッチ１６はａ側に切換わるが、ユーザの特定操作によって上記所定の再生指令がマン・マシーンインターフェース１２から入力されると、スイッチ１６がｂ側に閉じ、上記の動作が再び行なわれる。
　以上のように、ユーザが特定の再生操作を行なうと、コード変換メモリ１３に格納されているコードテーブルにより、磁気テープ８に記録されている位置コードがユーザ定義シーケンスメモリ１４で定義されているシーケンスのいずれかに対応づけられ、これによって磁気テープ８から位置コードが再生されると、これに対応したシーケンスが実行される。
　システムコントローラ１は、マン・マシーンインターフェース１２からのユーザの操作による指令を判別し、上記の特定の再生操作が行なわれたときにはスイッチ１６をｂ側に閉じ、それ以外のときにはａ側に閉じる。この特定の再生操作のためには、通常の再生釦とは別に特定の操作釦を設け、この特定の操作釦の単独操作もしくはこの通常の再生釦と特定の操作釦の同時操作をすればよい。あるいは、通常の再生釦を操作すればスイッチ１６はｂ側に閉じ、磁気テープ８にシーケンスが対応づけられたコードが再生されたとき、このシーケンスを実行するようにしてもよい。また、これらいずれの場合も、ユーザの操作によるシーケンスが優先するようにすることもできる。
　位置コードは磁気テープ８の所望とする位置のみに記録されるようにしてもよいし、磁気テープ８の順次の位置を表わすアドレスコードを位置コードとして用いるようにしてもよい。このアドレスコードは上記のようにコントロール信号を変調して所定の間隔で磁気テープに記録されており、磁気テープ８上の所望位置のアドレスコードとユーザ定義シーケンスメモリ１４で定義されているシーケンスとを対応づけるコードテーブルをコード変換メモリ１３に格納するようにする。この場合には、デコーダ１１で再生されるアドレスコードが順次デコードされ、コード変換メモリ１３でシーケンスとの対応が判定される。また、位置コードは磁気テープ８に記録される映像信号のブランキング期間に挿入されるなど、他の方法で記録されるようにしてもよい。
　次に、コード変換メモリ１３へのコードテーブルの書込みとユーザ定義シーケンスメモリ１４でのシーケンスの定義づけについて説明する。
　予め番組が記録されて市販される、いわゆるソフトテープに対しては、予めソフトテープメーカ側で位置コードが設定され、また、コードテーブルやシーケンスの定義づけがなされ、ソフトテープの始端部分などの適当な場所に記録しておけばよい。かかるソフトテープを再生する場合には、まず、コードテーブルや定義されたシーケンスコードのリストを再生し、コードテーブルをコード変換メモリ１３に、シーケンスコードのリストをユーザ定義シーケンスメモリ１４に夫々格納する。
　また、ユーザが自己が記録した磁気テープについて行なう場合には、所望番組を記録しながら、もしくは所望番組を全て記録した後これらを再生しながら、磁気テープ８上での位置コードの設定、ユーザ定義シーケンスメモリ１４でのシーケンスの定義づけ、位置コードとシーケンスとの対応づけによるコードテーブルの作成を行なえばよい。これらはユーザの所定操作によって行なわれ、これに伴なうマン・マシーンインターフェース１２からの指令により、システムコントローラ１が位置コードを作成してコントロールヘッド９で磁気テープ８に記録させるとともにコード変換メモリ１３に供給し、また、この位置コードに対するシーケンスデータがマン・マシーンインターフェース１２から入力されると、システムコントローラ１はこのデータからインデックスコードとシーケンスコードとを作成し、これらをユーザ定義シーケンスメモリ１４に書き込むとともに、コード変換メモリ１３で位置コードとインデックスコードとを対応づける。
　第３図（ａ），（ｂ）はこのようにして作成されたコードテーブルと定義づけられたシーケンスの例を示しており、この場合には、位置コードｅのように、全くシーケンスが関係しない位置コードが設定される場合もあるし、また、同じ内容のシーケンスが繰り返し定義づけられる場合もある。しかし、第３図（ｂ）において、シーケンスコード「ＰＡＵＳＥ」のインデックスコードは「＃１」であるようにし、異なる内容のシーケンスコードが１個ずつしかユーザ定義シーケンスメモリ１４に記憶しないようにしてもよい。この場合には、第３図（ａ）において、位置コードｂ，ｆがともにインデックスコード「＃１」と対応づけられることになる。
　以上のように、ユーザが設定した位置コードに応じてユーザが定義したシーケンスを実行させることができる。たとえば、第２図において、番組Ａが料理番組とすると、たとえば材料などのリストを表わす画像が記憶されている位置にポーズに対する位置コードｂを設定することにより、位置コードｂが再生されたときに磁気テープ８が自動的に停止し、再生ポーズ状態となってこのリストの画像がスチル画像として表示されることになる。
　なお、上記の一連のシーケンスは説明の便宜上示したにすぎない。
〔発明の効果〕
　以上説明したように、本発明によれば、磁気テープの記録内容に応じた任意の動作を磁気記録再生装置に指定することができ、ユーザが再生画像を見ながら、必要な画像内容毎に操作するという手間をとることなく、磁気記録再生装置に記録内容に応じた任意の動作を自動的に行なわせることができる。これにより、ユーザ専用のパーソナル機器としての磁気記録再生装置が実現できる。
【図面の簡単な説明】
第１図は本発明による磁気記録再生装置の制御システムの一実施例を示すブロック図、第２図は磁気テープでの位置コードの記録例を示す図、第３図（ａ）は、第１図におけるコード変換メモリでのコードテーブルの一例を示す図、第３図（ｂ）は同じくユーザ定義シーケンスメモリでのシーケンスコードの例を示す図である。
１…システムコントローラ、８…磁気テープ、９…コントロールヘッド、１１…デコーダ、１３…コード変換メモリ、１４…ユーザ定義シーケンスメモリ、１５…メインシーケンスメモリ、１６…スイッチ。